Podtech/llm-jp-corpus-v4-ja_patent huggingface dataset:
(57)【要約】      （修正有）【課題】いわゆるＩＣカード、クレジットカード、デビッドカード、キャッシュカード、ポイントカード等財布等から出し入れを行なうカードの出し入れを容易に行なえるよう、指のすべりを抑えたり、爪に掛かりやすく加工され、簡便に製造できるカードを提供する。【解決手段】上下、左右、及び裏表の一部にエンボス加工を施し、指のすべりを抑えるよう加工することにより、財布等から出し入れを行なうカード１の出し入れを容易に行なえるよう加工したカード１を簡便に製造することが可能となる。【選択図】図１
0003196175.tif 000002
【実用新案登録請求の範囲】
【請求項１】
いわゆるＩＣカード、クレジットカード、デビッドカード、キャッシュカード、ポイントカード等財布等から出し入れを行なうカードの出し入れを容易に行なえるよう、上下、左右、及び裏表の一部にエンボス加工を施し、指のすべりを抑えるよう加工したカード。
【請求項２】
いわゆるＩＣカード、クレジットカード、デビッドカード、キャッシュカード、ポイントカード等財布等から出し入れを行なうカードの出し入れを容易に行なえるよう、上下、左右、及び裏表の一部に切れ込みを入れ、爪に掛かりやすく加工したカード。
【請求項３】
いわゆるＩＣカード、クレジットカード、デビッドカード、キャッシュカード、ポイントカード等財布等から出し入れを行なうカードの出し入れを容易に行なえるよう、上下、左右、及び裏表の一部に溝を切り、爪に掛かりやすく加工したカード。
【請求項４】
いわゆるＩＣカード、クレジットカード、デビッドカード、キャッシュカード、ポイントカード等財布等から出し入れを行なうカードの出し入れを容易に行なえるよう、上下、左右、及び裏表の一部に複数の溝を切り、指のすべりを抑えたり、爪に掛かりやすく加工したカード。
【考案の詳細な説明】
【技術分野】
【０００１】この考案は、いわゆるＩＣカード、クレジットカード、デビッドカード、キャッシュカード、ポイントカード等財布等から出し入れを行なうカードの出し入れを容易に行なえるよう、指のすべりを抑えたり、爪に掛かりやすく加工されたカードである。
【背景技術】
【０００２】近来、いわゆるＩＣカード、クレジットカード、デビッドカード、キャッシュカード、ポイントカード等のカード類の発行枚数が増加し、これらを財布等の中に入れて持ち歩く人が増えている。
しかしながら、カードが財布等内に密着したり、指がすべったりすることにより、財布等からの出し入れが容易ではなく、これを容易にする為の財布の形状等の工夫は行なわれているものの、カードそのものを、指のすべりを抑えたり、爪に掛かりやすく加工して出し入れを容易にしたカードはなかった。
【考案の開示】
【考案が解決しようとする課題】
【０００３】従来、いわゆるＩＣカード、クレジットカード、デビッドカード、キャッシュカード、ポイントカード等のカード類を財布等のカード収納部に入れておくと、収納部との摩擦等により財布等から容易に取り出せない、指がすべって取り出しづらいという問題点があった。
【課題を解決するための手段】
【０００４】このような目的は、下記（１）〜（４）の本考案により達成される。【０００５】（１）請求項の、上下、左右、及び裏表の一部にエンボス加工を施し、指のすべりを抑えるよう加工することにより、財布等から出し入れを行なうカードの出し入れを容易に行なえるよう加工したカードの製造。【０００６】（２）請求項の、上下、左右、及び裏表の一部に切れ込みを入れ、爪に掛かりやすく加工することにより、財布等から出し入れを行なうカードの出し入れを容易に行なえるよう加工したカードの製造。【０００７】（３）請求項の、上下、左右、及び裏表の一部に溝を切り、爪に掛かりやすく加工することにより、財布等から出し入れを行なうカードの出し入れを容易に行なえるよう加工したカードの製造。【０００８】（４）請求項の、上下、左右、及び裏表の一部に複数の溝を切り、指のすべりを抑えたり、爪に掛かりやすく加工したことにより、財布等から出し入れを行なうカードの出し入れを容易に行なえるよう加工されたカードの製造。
【考案の効果】
【０００９】以上述べたように、本考案により、いわゆるＩＣカード、クレジットカード、デビッドカード、キャッシュカード、ポイントカード等のカード類を財布等から容易に取り出すことができる。
【実施例】
【００１０】以下、実施例により本考案の実施様態を具体的に説明する。ただし、本考案はこれらの実施例にその技術範囲が限定されるものではない。【００１１】上下、左右、及び裏表の一部にエンボス加工を施し、指のすべりを抑えるよう加工したカードを製造する。図１に本実施例を示す。
尚、エンボスの形状は特定された形状ではなく、上下、左右、上下左右、表、裏、裏表のいずれかの場所を特定したものではない。【００１２】上下、左右、及び裏表の一部に切れ込みを入れ、爪に掛かりやすく加工したカードを製造する。図２に本実施例を示す。
尚、切れ込みの形状は特定された形状ではなく、上下、左右、上下左右、表、裏、裏表のいずれかの場所を特定したものではない。【００１３】上下、左右、及び裏表の一部に溝を切り、爪に掛かりやすく加工したカードを製造する。図３に本実施例を示す。
尚、溝の形状は特定された形状ではなく、上下、左右、上下左右、表、裏、裏表のいずれかの場所を特定したものではない。【００１４】上下、左右、及び裏表の一部に複数の溝を切り、指のすべりを抑えたり、爪に掛かりやすく加工したカードを製造する。図４に本実施例を示す。
尚、溝の形状は特定された形状ではなく、上下、左右、上下左右、表、裏、裏表のいずれかの場所を特定したものではない。
【産業上の利用可能性】
【００１５】現行の出来上がったカード素材に簡単な加工を加えることにより、指のすべりを抑えたり、爪に掛かりやすく財布等から容易に取り出すことのできるカードを簡便に製造することが可能となる。
【図面の簡単な説明】
【００１６】
【図１】本考案の上下、左右、及び裏表の一部にエンボス加工を施し、指のすべりを抑えるよう加工したカードにおける実施例を示した説明図である。
【図２】本考案の上下、左右、及び裏表の一部に切れ込みを入れ、爪に掛かりやすく加工したカードにおける実施例を示した説明図である。
【図３】本考案の上下、左右、及び裏表の一部に溝を切り、爪に掛かりやすく加工したカードにおける実施例を示した説明図である。
【図４】本考案の上下、左右、及び裏表の一部に複数の溝を切り、指のすべりを抑えたり、爪に掛かりやすく加工したカードにおける実施例を示した説明図である。
【符合の説明】
【００１７】１    カード
２    エンボス
３    切れ込み
４    溝
【図１】
0003196175.tif 000003
【図２】
0003196175.tif 000004
【図３】
0003196175.tif 000005
【図４】
0003196175.tif 000006
(57)【要約】      （修正有）【課題】安全かつ快適に直火加熱器を使用して加熱調理することができる熱風防止装置を提供する。【解決手段】本体１２と、全体としてリング形状に形作られた遮熱部１４とを備え、本体を遮熱部の中央開口に嵌め込み、遮熱部に取り付けられた固定用プレート１４ｅに固定バンド１６をかけて本体の所望高さのところに遮熱部を固定することによって、下方に位置する加熱器から生ずる熱風を遮熱部により遮るように構成されていることを特徴とする熱風防止装置が提供される。【選択図】図２
0003196194.tif 000002
【実用新案登録請求の範囲】
【請求項１】
円筒形の周壁、前記周壁の上端に配置された頂壁、前記周壁の下端に配置された底壁、および前記周壁の下端に取り付けられた脚部を有する本体と、
円筒形の外周壁、内径が前記本体の外径よりも僅かに大きくなるように形成された円筒形の内周壁、前記外周壁及び前記内周壁の上端に配置された頂壁、前記外周壁及び前記内周壁の下端に配置された底壁、および前記内周壁に等距離間隔を隔てて取り付けられた複数個の固定用プレートを有し、全体としてリング形状に形作られた遮熱部とを備え、
前記内周壁によって形成される前記遮熱部の開口に前記本体を嵌め込み、前記固定用プレートに固定バンドをかけて前記本体の所望高さのところに前記遮熱部を固定することによって、下方から生ずる熱風を前記遮熱部により遮るように構成されていることを特徴とする直火加熱器用熱風防止装置。
【考案の詳細な説明】
【技術分野】
【０００１】
本考案は、直火加熱器により発生する熱風を防止する装置に関する。
【背景技術】
【０００２】
アウトドアで調理をする際には、バーベキューコンロや七輪等の直火加熱器が使用される。また、屋内で揚げ物や鍋料理をする際にも、コンロ等の直火加熱器が使用される。
【考案の概要】
【考案が解決しようとする課題】
【０００３】
直火加熱器は、鍋や食材等を直火で加熱調理するため、迅速に調理できるという利点があるものの、加熱器から熱風が直に立ち上るため、火傷のおそれがあったり、火の粉が上がったり、油に引火したりする等の不都合があった。また、熱風が空中に放出されるため、熱効率が良くないという弊害もあった。
【０００４】
本考案は、このような状況に鑑みて開発されたものであって、安全かつ快適に直火加熱器を使用して加熱調理することができる熱風防止装置を提供することを目的としている。
【課題を解決するための手段】
【０００５】
本願請求項１に記載の直火加熱器用熱風防止装置は、円筒形の周壁、前記周壁の上端に配置された頂壁、前記周壁の下端に配置された底壁、および前記周壁の下端に取り付けられた脚部を有する本体と、円筒形の外周壁、内径が前記本体の外径よりも僅かに大きくなるように形成された円筒形の内周壁、前記外周壁及び前記内周壁の上端に配置された頂壁、前記外周壁及び前記内周壁の下端に配置された底壁、および前記内周壁に等距離間隔を隔てて取り付けられた複数個の固定用プレートを有し、全体としてリング形状に形作られた遮熱部とを備え、前記内周壁によって形成される前記遮熱部の開口に前記本体を嵌め込み、前記固定用プレートに固定バンドをかけて前記本体の所望高さのところに前記遮熱部を固定することによって、下方から生ずる熱風を前記遮熱部により遮るように構成されていることを特徴とすることを特徴とするものである。
【考案の効果】
【０００６】
本考案の直火加熱器用熱風防止装置によれば、加熱器より生ずる熱風を遮ることができるので、安全かつ快適に加熱調理することができる。本考案の直火加熱器用熱風防止装置では、遮熱部を本体の所望高さの箇所に取り付けることができるので、使い勝手がよい。また、不使用時には、本体と遮熱部を分離することができるので、保管や携帯に便利である。
【０００７】
本考案の熱風防止装置は、上述のような加熱調理の他に、遮熱が必要な種々の工業的用途（たとえば、溶鉱炉、溶融炉、焼き入れ反射炉、溶接機など）においても応用可能である。
【図面の簡単な説明】
【０００８】
【図１】本考案の好ましい実施の形態に係る直火加熱器用熱風防止装置がコンロの上に設置されている状態を示した斜視図である。
【図２】図１の直火加熱器用熱風防止装置の分解斜視図である。
【図３】図１の直火加熱器用熱風防止装置が使用されている状態を示した正面図である。
【考案を実施するための形態】
【０００９】
次に、図面を参照して、本考案の好ましい実施の形態に係る直火加熱器用熱風防止装置について詳細に説明する。図１は、本考案の好ましい実施の形態に係る直火加熱器用熱風防止装置がコンロの上に設置されている状態を示した斜視図、図２は、図１の直火加熱器用熱風防止装置の分解斜視図である。図１において全体として参照符号１０で示される直火加熱器用熱風防止装置は、円筒形の本体１２を備えている。
【００１０】
本体１２は、円筒形の周壁１２ａと、周壁１２ａの上端に配置された頂壁１２ｂと、周壁１２ａの下端に配置された底壁１２ｃとを有しており、周壁１２ａの下端には、コンロに載せるための脚部１２ｄが取り付けられている。
【００１１】
直火加熱器用熱風防止装置１０また、本体１２の所望高さの箇所に取り付けられる遮熱部１４を備えている。遮熱部１４は、円筒形の外周壁１４ａと、外周壁１４ａよりも小径の円筒形の内周壁１４ｂと、外周壁１４ａおよび内周壁１４ｂの上端に配置された頂壁１４ｃと、外周壁１４ａおよび内周壁１４ｂの下端に配置された底壁１４ｄとを有する全体としてリング形状に形作られており、内周壁１４ｂの内径は、本体１２の外径よりも僅かに大きくなるように形成されている。
【００１２】
遮熱部１４の内周壁１４ｂには、等距離間隔を隔てて３個の固定用プレート１４ｅが取り付けられている。
【００１３】
直火加熱器用熱風防止装置１０は、内周壁１４ｂによって形成される遮熱部１４の開口に本体１２を嵌め込み、固定用プレート１４ｅに固定バンド１６をかけて本体１２の所望高さのところに遮熱部１４を固定することによって組み立てられる。
【００１４】
以上のように構成された直火加熱器用熱風防止装置１０をコンロの上に載せて使用することにより、コンロの燃焼から生ずる熱風が遮熱部１４によって遮られるので、安全かつ快適にコンロを使用して調理をすることができる。
【００１５】
本考案は、以上の考案の実施の形態に限定されることなく、実用新案登録請求の範囲に記載された考案の範囲内で、種々の変更が可能であり、それらも本考案の範囲内に包含されるものであることはいうまでもない。
【００１６】
例えば、前記実施形態では、本体１２と遮熱部１４とが固定を固定バンド１６によって行われているが、ボルト等の任意の締結具を用いて固定してもよい。
【００１７】
また、図示されている本体１２の脚部１２ｄの形状や個数、並びに固定用プレート１４ｅの形状や個数等は、単なる例示的なものであり、図示されているものに限定されるものではない。
【符号の説明】
【００１８】
１０  直火加熱器用熱風防止装置
１２  本体
１２ａ  周壁
１２ｂ  頂壁
１２ｃ  底壁
１２ｄ  脚部
１４  遮熱部
１４ａ  外周壁
１４ｂ  内周壁
１４ｃ  頂壁
１４ｄ  底壁
１４ｅ  固定用プレート
１６  固定バンド
【図１】
0003196194.tif 000003
【図２】
0003196194.tif 000004
【図３】
0003196194.tif 000005
(57)【要約】      （修正有）【課題】植木鉢給水時に、覆土することなく、水圧による泥跳ねを防止するための、泥跳ね防止用具を提供する。【解決手段】一辺を鋭端に伸ばした平板１の片面に、網目の平板２を複数枚、網の目が重ならないように網目をずらして重ね、辺縁を接合する。網目平板２の中央付近に大きい網目の平板３を複数枚、網目をずらして重ね辺縁を接合する。【選択図】図１
0003196160.tif 000002
【実用新案登録請求の範囲】
【請求項１】
一辺を鋭端に伸ばした平板の片面に、網目の大きさが異なる二種類の網目平板を複数枚、網の目が重ならないように重ね、辺縁を接合してなる植木鉢への給水時の泥跳ね防止用具。
【考案の詳細な説明】
【技術分野】
【０００１】  本考案は、植木鉢への給水時に、水圧により植物に泥が跳ねるのを防止する用具に関するものである。
【背景技術】
【０００２】  従来は、植物保護を目的とする、鉢土表面を覆うシートやバーク材、ヤシ繊維のマルチング等が、泥跳ね防止目的にも用いられている。
【考案の概要】
【考案が解決しようとする課題】
【０００３】  しかしながら、これは次のような問題点がある。
鉢土表面を覆うシートやマルチング材は、覆土する為、表土が乾燥しても剥がさないと目視できず、また固形肥料を施肥する場合も、剥がす必要がある。
またマルチング材では、その材質により、表土との間が虫の棲み家となる場合がある。
本考案は以上の問題点を解決するためになされたものである。
【課題を解決するための手段】
【０００４】  一辺を鋭端に伸ばした平板（１）の片面に、網目の平板（２）を複数枚重ね、辺縁を接合し、その上に大きい網目の平板（３）を複数枚重ねて辺縁を接合する。
本考案は以上の構成より成る、植木鉢への給水時の泥跳ね防止用具である。本考案を鉢に立てて設置することにより、上記課題を解決するものである。
【考案の効果】
【０００５】  鋭端部を土にさして設置することにより、表土の乾燥状態を目視する妨げにならず、表土との間が虫の棲みかとなることも無い。ホースから中央の網目を的として給水される水流は、網目により水圧が分散され、網目を伝って落下する。これにより周囲への泥の飛散が抑制され、泥が当たることにより植物が痛むのを防ぐ。
多数の鉢に給水するには離れた場所からジェット水流で給水するのが手間がかからない。本考案は、ジェット水流に対し特に効果的である。
【図面の簡単な説明】
【０００６】
【図１】  本考案の斜視図
【図２】  本考案の正面図
【図３】  図１の一部拡大図
【図４】  本考案の分解図
【図５】  本考案の使用状態を示した図
【考案を実施するための形態】
【０００７】  図１・２・３・４に示すように、一辺を鋭端に伸ばした平板（１）の片面に、網目の平板（２）を複数枚、網の目が重ならないように網目をずらして重ね（４）、辺縁を接合する。網目平板（２）の中央付近に大きい網目の平板（３）を複数枚、網目をずらして重ね（４）辺縁を接合する。
本考案は、以上のような構造である。
【０００８】  図５に示すように、本考案を使用するときは、鉢土に平板（１）の鋭端部をさし、目の大きい網目板（３）の中央部を的として、給水ホースからのジェット水流を当てる。水流は網目により水圧が分散され、さらに網目を伝って表土へ流れる。これにより周囲への泥の飛散が抑制され、植物が痛むのを防ぐ。
【符号の説明】
【０００９】  １  鋭端部を持つ平板
２  網目板
３  目の大きい網目板
４  拡大した網の重なり
【図１】
0003196160.tif 000003
0003196160.tif 000004
【図４】
0003196160.tif 000005
【図５】
0003196160.tif 000006
【手続補正書】
【提出日】平成26年12月20日(2014.12.20)
【手続補正１】
【補正対象書類名】図面
【補正対象項目名】全図
【補正方法】変更
【補正の内容】
【図１】
0003196160.tif 000007
【図２】
0003196160.tif 000008
【図３】
0003196160.tif 000009
【図４】
0003196160.tif 000010
【図５】
0003196160.tif 000011
【手続補正２】
【補正対象書類名】明細書
【補正対象項目名】０００６
【補正方法】変更
【補正の内容】
【０００６】
【図１】  本考案の斜視図
【図２】  本考案の正面図
【図３】  図２Ａの拡大図
【図４】  本考案の分解図
【図５】  本考案の使用状態を示した図
(57)【要約】      （修正有）【課題】野菜の種、苗、その他植木の苗等植え付けした後、何度も水やりをしなくても発芽、活着させる事のできるコンパクト式寒冷紗を堤供する。【解決手段】太さ４ミリの丸い鉄棒１を２メートルの長さに切り、両端部の幅は３０センチとなるように鉄棒を弓状に曲げ、地中に差し込む足２の部分１０センチの先端を地中に差し込みやすくするため面取りを行った弓状部材と、所定の間隔で並列に配置された複数の弓状部材を連結部材とスポット溶接にて連結して形成された骨組みの湾曲面に黒か白の寒冷紗を固定装着することを特徴とする。【選択図】図１
0003196156.tif 000002
【実用新案登録請求の範囲】
【請求項１】
太さ４ミリの丸い鉄棒（１）を２メートルの長さにきり、幅は３０センチの鉄棒を弓状に曲げて、接点の所はスポット溶接をして、地中に差し込む足（２）１０センチの先端を地中に差し込みやすくするため面取っておき、しっかりした骨組みを作り、黒か白の、寒冷紗（３）を固定装着くする、コンパクト式寒冷紗。
【考案の詳細な説明】
【技術分野】
【０００１】この考案は野菜の種、苗、その他植木の苗等植え付けした後、何度も水やりをしなくても発芽、活着させる事のできる、寒冷紗の考案です。
【背景技術】
【０００２】従来は野菜の種、その他小さな苗木を植えても直謝日光で地熱が強く野菜の種、苗木が発芽しなかったり、枯れることが多かった。
【先行技術文献】
【０００３】
【特許文献】
【特許文献】  特開００００−００００００号会報
【考案の概要】
【考案が解決しようとする課題】
【０００４】従来のように野菜の種、苗木を植えても、夏期は特に直謝日光が強く地中が焼けて種は発芽が悪いし、苗木は枯れるので良い方法がないものかと思う。
【課題を解決するための手段】
【０００５】太さ４ミリの丸い鉄棒（１）を２メートルの長さに切り幅は３０センチの弓状に曲げて、接点の所はスポット溶接をして地中に差し込む（２）足の先は面を取っておき、骨組みを作り、寒冷紗を固定装着くする。
【考案の効果】
【０００６】寒冷紗を地中に差し込むことで安定し、風が吹いても飛ばさされることなく、水かけも寒冷紗の上からかければ良い、種が発芽、苗が活着する迄設置すれば良い。
【図面の簡単な説明】
【０００７】
【図１】寒冷紗を装着するまでの、骨組みの本考案の斜視図である。
【図２】寒冷紗を装着した、本考案の完成図である。
【考案を実施するための形態】
【０００８】本考案を実施するための形態について説明する。
しっかりとした骨組（１）をした上に寒冷紗（３）を固定装着し足（２）を土に差し込むことで、風に飛ばされなくて良い、又水やりも寒冷紗の上から水やりが出来て便利で良い。
【符号の説明】（１）  鉄棒
（２）  足
（３）  寒冷紗
【図１】
0003196156.tif 000003
【図２】
0003196156.tif 000004
【手続補正書】
【提出日】平成26年11月27日(2014.11.27)
【手続補正１】
【補正対象書類名】実用新案登録請求の範囲
【補正対象項目名】全文
【補正方法】変更
【補正の内容】
【実用新案登録請求の範囲】
【請求項１】
太さ４ミリの丸い鉄棒（１）を２メートルの長さにきり、両端部の幅は３０センチとなるよに鉄棒を弓状に曲げ、地中に差し込む足（２）１０センチの先端を地中に差し込みやすくするため面取りを行った弓状部材と、所定の間隔で並列に配置された複数の弓状部材を連結部材とをスポット溶接にて連結して形成された骨組みの湾曲面に黒か白の寒冷紗（３）を固定装着くすることを特徴とする  コンパクト式寒冷紗。
(57)【要約】      （修正有）【課題】液晶画面用保護フィルムを傷から守る養生シートを剥がしやすくするだけでなく、液晶画面に貼り付ける際に両手を使い位置合わせをしやすくすることができ、液晶保護フィルム本体を貼り付ける際の汚れから守ることができるタブシール付き液晶画面保護フィルムを提供する。【解決手段】液晶画面保護フィルム７と、液晶画面保護フィルム７の両面に貼り付けられた液晶画面保護フィルムを傷、汚れから守る養生シート６，８と養生シートの両側部にはりつけられたタブシール５とを備えている。タブシール５はＰＥＴ基材層を主成分とする。【選択図】図３
0003196151.tif 000002
【実用新案登録請求の範囲】
【請求項１】
液晶画面保護フィルムを貼り付ける際に、両手を使い位置合わせをすることができかつ液晶保護フィルム本体を触ることなく汚れなどが本体に付着しない簡単貼り付けタブシール
【請求項２】
前記タブシールはPET基材層を主成分とした透明な請求項1の簡単貼り付けタブシール
【考案の詳細な説明】
【技術分野】
【０００１】
本案件は液晶画面用保護フィルムを液晶に貼る際に貼り位置を合わせやすくするタブシールに関する。
【背景技術】
【０００２】
従来、液晶画面用保護フィルムを傷から守るシートを剥がしやすくするシールが貼られ  ている。液晶画面に液晶画面用保護フィルムを貼る際は、フィルム本体を直接もって貼り付けている。
【考案の概要】
【考案が解決しようとする課題】
【０００３】
本考案は、液晶画面用保護フィルムを傷から守る養生シートを剥がしやすくするだけでなく、液晶画面に貼り付ける際に両手を使い位置合わせをしやすくすることができ、液晶画面保護フィルム本体を直接触る事がないため液晶保護フィルム本体を貼り付ける際の汚れから守ることができる。
【課題を解決するための手段】
【０００４】
本考案は、液晶画面用保護フィルムを液晶画面に貼る際にフィルムに触らず両手でタブシールだけをもって貼る事ができ位置合わせを簡単にする。
【考案の効果】
【０００５】
本考案のタブシールを使う事で液晶画面用保護フィルムを貼り付ける作業を簡単にし、貼り付ける際に液晶画面用保護フィルムを直接触らないため汚れにくくする。
【図面の簡単な説明】
【０００６】
【図１】本考案にかかわるタブシールの貼り位置を示したものである。
【図２】本考案にかかわるタブシールの形状を示したものである。
【図３】本案件にかかわるタブシールの貼る層を示したものである。
【考案を実施するための形態】
【０００７】
図３のように液晶画面保護用フィルムを傷から守る養生シートを剥がしやすくするタブシールを両手で持てるようにし、液晶画面保護用フィルムを貼る際に位置決めがしやすくできる。
【符号の説明】
【０００８】
１  液晶保護用フィルム
２  本考案タブシール
３  本考案タブシールの糊無し部分
４  本考案タブシールの糊有部分
５  本考案タブシール
６  液晶画面保護フィルムを傷から守る養生シート
７  液晶画面保護フィルム
８  液晶画面保護フィルムを傷から守る養生シート
【図１】
0003196151.tif 000003
【図２】
0003196151.tif 000004
【図３】
0003196151.tif 000005
【手続補正書】
【提出日】平成26年12月12日(2014.12.12)
【手続補正１】
【補正対象書類名】実用新案登録請求の範囲
【補正対象項目名】全文
【補正方法】変更
【補正の内容】
【実用新案登録請求の範囲】
【請求項１】
液晶画面保護フィルム（７）と、前記液晶画面保護フィルム（７）の両面に貼り付けられた液晶画面保護フィルムを傷、汚れから守る養生シート（６，８）と前記養生シートの両側部にはりつけられたタブシール（５）とを備えていることを特徴とするタブシール付き液晶画面保護フィルム
【請求項２】
前記タブシールは（５）はPET基材層を主成分とする請求項1記載のタブシール付液晶画面保護フィルム
(57)【要約】      （修正有）【課題】移動中に左右どちらかに傾斜している路面では傾斜路下方向に方向を変えてしまい又前輪を段上に置いたときにキャスター角度が減少し左右どちらかに自在キャスターが方向を変えやすい性質が有る自在キャスターを固定し直進性を維持するための装置を備えた荷物運搬用台車を提供する。【解決手段】手押しハンドルに設けた作動レバーと、前記作動レバーにワイヤーを介して連結されたキャスターロック用クサビ５と、自在キャスター３に固定されたキャスターフレーム４を備えた荷物運搬用台車において、前記作動レバーを握ると前記ワイヤーが引かれることで前記キャスターロック用クサビ５が前記キャスターフレーム４の隙間にはまり込み、前記自在キャスター３の方向転換の回転が固定され直進のみになることを特徴とする。【選択図】図１
0003196153.tif 000002
【実用新案登録請求の範囲】
【請求項１】
手押し式荷物運搬用台車の前輪自在キャスターの自在方向回転を一定方向に固定する装置を設け荷物運搬用台車の斜路や段差通過時での直進安定性能を向上させることを特徴とする装置。
【考案の詳細な説明】
【技術分野】
【０００１】  本考案は荷物運搬用台車の移動方向に対し左方や右方に傾斜している路面や段差を乗り上げる場合に安全かつ容易に走行ができる装置に関する。
【背景技術】
【０００２】  従来の荷物運搬用台車は進行方向に直進しやすく、なおかつ容易に方向転換が出来るように前輪には３６０度回転する自在キャスターが使用されているために左右どちらかに傾斜している路面を通過する際には自在キャスターが傾斜路下方向に向きを変えるために直進が困難になる欠点がある。
【考案が解決しようとする課題】
【０００３】  従来荷物運搬用台車は移動する路面が左方や右方に傾斜している場合は斜路の下方向に前輪が方向を変え進行方向が定まらなくなってしまう、又荷物運搬用台車を段上に移動する際に前輪を段上に置いたときに平坦路よりもキャスター角Ａが減少するために前輪が左右に方向転換をしやすく危険性を伴う、これらの移動中の危険性を取り除き安全かつ容易に移動できるようにするものである。
【課題を解決する手段】
【０００４】  荷物運搬台車本体▲１▼に自在方向回転固定装置▲５▼を設置し、移動中に左方や右方に傾斜している路面や段上に移動する際に使用者が任意に手押しハンドル部▲２▼に設置した作動レバーを握りワイヤーを経由し自在方向回転固定装置▲５▼を作動させ前輪自在キャスターフレーム部▲６▼に自在方向回転固定装置▲５▼の先端楔を差し込み前輪自在キャスター▲３▼を直進方向に固定することにより安定した走行ができる。
【考案を実施するための形態】
【０００５】  本考案を荷物運搬台車に装着して実施した模様を形態図参照に記述する。
【０００６】  荷物運搬台車▲１▼を使用中に左方や右方向に傾斜している路面手前で手押しハンドル▲２▼に設けた作動レバーを握るとワイヤーが引かれ図５から図６のようにテコの作用で回転しキャスターロック用クサビ▲５▼が自在キャスター▲３▼のキャスターフレーム▲４▼の隙間にはまり自在キャスター▲３▼の方向転換の回転が固定され直進のみになり、通過後に手押しハンドル▲２▼に設けたレバーを放すと図５の状態に戻り通常の方向転換操作ができる。
【考案の効果】
【０００７】  本考案は上記に記述したように荷物運搬用台車の自在キャスター部に本装置を取り付けることにより段差を含む左右傾斜走行路を安全に通過することができ転倒事故や体力的負担などを軽減し、荷物運搬者は安定した安全な移動が可能になる。
【図面の簡単な説明】
【図１】  本考案の基本動作を示したもの。
【図２】  前輪が路面に位置したときのキャスター角Ａを示したもの。
【図３】  前輪が段上に位置したときのキャスター角Ａを示したもの
【図４】  本考案を下部面から見た待機姿図。
【図５】  作動部待機姿図。
【図６】  作動時姿図
【符号の説明】  ▲１▼荷物運搬台車本体。
▲２▼移動用手押しハンドル。
▲３▼自在キャスター。
▲４▼キャスターフレーム
▲５▼キャスターロック用クサビ。
▲６▼クサビ移動用回転レバー。
Ａ地面と前輪とのキャスター角度の変化。
0003196153.tif 000003
【図３】
0003196153.tif 000004
【図４】
0003196153.tif 000005
0003196153.tif 000006
【手続補正書】
【提出日】平成26年11月26日(2014.11.26)
【手続補正１】
【補正対象書類名】実用新案登録請求の範囲
【補正対象項目名】全文
【補正方法】変更
【補正の内容】
【実用新案登録請求の範囲】
【請求項１】
手押しハンドルに設けた作動レバーと、前記作動レバーにワイヤーを介して連結されたキャスターロック用クサビと、自在キャスターに固定されたキャスターフレームを備えた荷物運搬用台車において、前記作動レバーを握ると前記ワイヤーが引かれることで前記キャスターロック用クサビが前記キャスターフレームの隙間にはまり込み、前記自在キャスターの方向転換の回転が固定され直進のみになることを特徴とする荷物運搬用台車。
【手続補正２】
【補正対象書類名】図面
【補正対象項目名】全図
【補正方法】変更
【補正の内容】
【図１】
0003196153.tif 000007
【図２】
0003196153.tif 000008
【図３】
0003196153.tif 000009
【図４】
0003196153.tif 000010
【図５】
0003196153.tif 000011
【図６】
0003196153.tif 000012
(57)【要約】      （修正有）【課題】物品挿入開口部をより簡単に開閉する開閉自在袋を提供する。【解決手段】フィルム部材によって形成され、第一パネル１と第二パネル２が互いに重ね合わされた状態で両側部同士、及び、底部同士が連結されることにより袋体を構成する、第一パネル１及び第二パネル２における上部寄りに物品挿入開口部３を備えた開閉自在袋であって、前記第一パネル１の物品挿入開口部３には、開口部に対して水平方向に、粘着材を塗布する。第一パネル１の物品挿入開口部３は、第一パネル１の粘着材塗布面４より上方に設ける。第二パネルの物品挿入開口部６は、第一パネルの開口部先端５より短くする。パネルの物品挿入開口部先端の長さが互いに異なっており、長いパネル側に粘着剤を塗布した構造を有することを特徴とする。【選択図】図２
0003196155.tif 000002
【実用新案登録請求の範囲】
【請求項１】
フィルム部材によって形成され、第一パネルと第二パネルが互いに重ね合わされた状態で両側部同士、及び、底部同士が連結されることにより袋体を構成する、第一パネル及び第二パネルにおける上部寄りに商品挿入開口部を備えた開閉自在袋であって、前記第一パネルの物品挿入開口部には、開口部に対して水平方向に、粘着材を塗布する。第一パネルの物品挿入開口部は、第一パネルの粘着材塗布面より上方に設ける。第二パネルの物品挿入開口部は、第一パネルの開口部先端より短くする。本考案は、パネルの物品挿入開口部先端の物品挿入開口部の長さが互いに異なっており、長いパネル側に粘着剤を塗布した構造を有することを特徴とする、開閉自在袋。
【考案の詳細な説明】
【考案の詳細な説明】
【技術分野】
【０００１】本考案は、フィルム部材によって形成された開閉自在袋の考案である。
【考案の概要】
【考案が解決しようとする課題】
【０００２】従来の開閉自在袋は、袋の第一パネルと第二パネルの開閉部先端が同じ長さであったため、物品挿入開口部の開閉が困難であった。開閉自在袋の物品挿入開口部をより簡単に開閉することを課題とする。
【課題を解決するための手段】
【０００３】本考案の開閉自在袋は、物品挿入開口部の開閉を容易にするため、物品挿入開口部先端パネルの内、第二パネルより第一パネルの開口部先端を長くする。【０００４】本考案は、第一パネルの物品挿入開口部内側には、水平方向に、粘着材を塗布する。【０００５】本考案は、第一パネルの粘着材塗布面より第一パネル開口部先端パネルを長くする。【０００６】本考案は、第二パネルの開口部先端を第一パネルの接着剤塗布面より長く、第一パネルの開口部先端より短くする。【０００７】本考案は、物品挿入開口部先端の長いパネルに、粘着材を塗布する考案である。
【参考文献】
特開  ２０００−０３３９５５
特開  ２００３−３４１６８４
特開  ２０１２−０８２００９
【考案の効果】
【０００８】本考案の、開閉自在袋は、一方に粘着材を塗布してあるため、封緘が容易である。
【０００９】本考案は、開閉自在袋の物品挿入開口部のパネルの長さを変えることによって、開封が容易にできる。
【００１０】前記によって、開封部を探すことがなくなる。
【図面の簡単な説明】
【図１】正面図
【図２】側面図
【考案を実施するための形態】
【００１１】以下、本考案の実施の形態について図面を参照しながら詳細に説明する。なお、以下の説明にあたって、同一構成要件については、同一符号を付けて、重複した説明を省略する。
【００１２】本考案は、フィルム部材によって形成され、第一パネル１と第二パネル２が互いに重ね合わされた状態で、両側部同士および底部同士が連結されることにより、袋体を構成する。
【００１３】第一パネル１および第二パネル２によって形成された袋体の上部に、物品挿入開口部３を備えた開閉自在袋である。
【００１４】前記の第一パネル１の物品挿入開口部内側に、開口部に対して水平方向に粘着材を塗布した、粘着材塗布部４を設ける。
【００１５】前記の第一パネル１の粘着剤未塗布面開口部５を、粘着剤塗布面４より上方に設ける。さらに、第二パネル２の、開口部先端６よりも長く設ける。
【００１６】前記の第二パネル２の物品挿入口パネル６を、第一パネルの粘着剤塗布面４より上方に設ける。
【００１７】前記の第二パネル２の物品挿入口パネル６は、第一パネルの開口部先端パネル５より短くする。
【００１８】本考案は、物品挿入開口部パネルの長さを、異なった長さで設けた構造を有する。
【００１９】本考案は、物品挿入開口部先端の長いパネルの側に、粘着剤を塗布した構造を有することを特徴とする、開閉自在袋である。
【符号の説明】［符号１］第一パネル
［符号２］第二パネル
［符号３］物品挿入開口部
［符号４］粘着材塗布面
［符号５］第一パネル粘着剤未塗布面開口部
［符号６］第二パネル開口部
【図１】
0003196155.tif 000003
【図２】
0003196155.tif 000004
【手続補正書】
【提出日】平成26年11月28日(2014.11.28)
【手続補正１】
【補正対象書類名】実用新案登録請求の範囲
【補正対象項目名】全文
【補正方法】変更
【補正の内容】
【実用新案登録請求の範囲】
【請求項１】
フィルム部材によって形成され、第一パネルと第二パネルが互いに重ね合わされた状態で両側部同士、及び、底部同士が連結されることにより袋体を構成する、第一パネル及び第二パネルにおける上部寄りに商品挿入開口部を備えた開閉自在袋であって、前記第一パネルの物品挿入開口部には、開口部に対して水平方向に粘着材を塗布し、第一パネルの粘着材塗布面より上方に設けた、第二パネルの物品挿入開口部は、第一パネルの開口部先端より短くなっており、パネルの物品挿入開口部先端の物品挿入開口部の長さが互いに異なっており、長いパネル側に粘着剤を塗布した構造を有することを特徴とする、開閉自在袋。
(57)【要約】      （修正有）【課題】着脱が容易で肌ざわりがよく通常のごみとして捨てることができる腰掛式トイレ用使い捨て便座カバーを提供する。【解決手段】本体が殺菌抗菌加工した不織布、タオル、布、紙等からなる腰掛式トイレ用使い捨て便座カバー１であり、中央部に略楕円形状の腰掛式トイレの便座への着脱用の切れ目２を有する袋状構造にして、着脱容易に、衛生的に繰り返し、複数回、数十回使用でき、使用後は通常のごみと一緒に捨てることが可能な構造とした。【選択図】図３
0003196170.tif 000002
【実用新案登録請求の範囲】
【請求項１】
本体が殺菌抗菌加工した不織布、タオル、布、紙からなる腰掛式トイレ用使い捨て便座カバーにおいて、該腰掛式トイレ用使い捨て便座カバーが中央部に略楕円形状の便座への着脱用の切れ目を有し袋状構造であることを特徴とする腰掛式トイレ用使い捨て便座カバー。
【請求項２】
前記切れ目が伸縮材で縁取りされた構造であることを特徴とする請求項１記載の腰掛式トイレ用使い捨て便座カバー。
【請求項３】
前記切れ目の縁取りが筒状の輪になった構造であることを特徴とする請求項１又は請求項２記載の腰掛式トイレ用使い捨て便座カバー。
【考案の詳細な説明】
【技術分野】
【０００１】    本考案は、家族や親しい仲間といった特定の者たちが、家庭では複数回、数十回、ホテル等の宿泊施設では宿泊全期間中使用可能で、さらにその着脱が容易にでき、衛生的に使用でき、使用後は通常のごみ等と一緒に捨てることもできる腰掛式トイレ用使い捨て便座カバーに関する。
【背景技術】
【０００２】    ホテルやレストラン等のトイレットにおいて、多くの不特定多数の人が使用する腰掛式トイレでは、他人が使用した便座に直接肌が触れることを防ぐために、水溶性の薄い紙等からなる類の使い捨ての便座シートが使用されている。【０００３】    また、このような便座シートの中には、便座シートがずれるのを防ぐために便座との接触部に接着剤を塗布したものもある。【０００４】    また、家庭等においても、アクリル製或いは布等から作られて、使用後洗濯することにより繰り返し使用されているものもある。【０００５】    しかしながら、トイレで使用した便座カバーには、尿や便の飛沫が付着していることもあり、通常の下着類や衣服等と一緒に同時に洗うのは衛生的でなくためらわれ、別々に洗って、別々に干すと余分な手間を要するという煩わしい問題もあった。【０００６】    これらの問題を解決するために、便座に対し簡単に着脱でき、さらに洗濯により繰り返し使用が可能で、繰り返し使用のため洗濯しても接着力が低下しない便座カバー（例えば、特許文献１参照）も提案されているが、洗濯の都度の便座からの着脱が煩わしく課題は残されたままであった。
【先行技術文献】
【特許文献】
【０００７】
【特許文献１】  実開平１−１４１６９７号  公報
【考案の概要】
【考案が解決しようとする課題】
【０００８】    本考案は上記目的を解決するためになされたものであり、腰掛式トイレの便座に対し容易に袋状に着脱でき、家族や親しい仲間といった特定の者たちが、複数回、数十回衛生的に繰り替えし使用が可能で、複数回、数十回使用後は通常のごみ等と一緒に捨てることも可能で、後処理問題も発生しない腰掛式トイレ用使い捨て便座カバーを提供することである。
【課題を解決するための手段】
【０００９】    殺菌抗菌加工した不織布、タオル、布、紙等からなる腰掛式トイレ用使い捨て便座カバー本体の中央部分に略楕円形状の、腰掛式トイレの便座への着脱用の切れ目を設け袋状構造とした。【００１０】    殺菌抗菌加工することにより、複数回、数十回衛生的に腰掛式トイレ用使い捨て便座カバーが使用でき、着脱用の切れ目により袋状構造とし繰り返しの着脱も容易にした。【００１１】    腰掛式トイレ用使い捨て便座カバー本体は不織布、タオル、布、紙等で構成されているので、通常のごみと一緒に捨てることも可能であり、後処理問題の発生も生じない。
【考案の効果】
【００１２】    殺菌抗菌加工した不織布、タオル、布、紙等からなる腰掛式トイレ用使い捨て便座カバー本体の中央部分に略楕円形状の、腰掛式トイレの便座への着脱用の切れ目を設け袋状構造とすることにより、家族や親しい仲間といった特定の者たちが、容易に、衛生的に、繰り返し、複数回、数十回使用でき、使用後は通常のごみと一緒に捨てることができ、後処理問題もなくなった。
【図面の簡単な説明】
【００１３】
【図１】  本考案の腰掛式トイレ用使い捨て便座カバーの一例の平面図
【図２】  本考案の腰掛式トイレ用使い捨て便座カバーの一例の正面図
【図３】  本考案の腰掛式トイレ用使い捨て便座カバーの一例の斜め正面図
【図４】  本考案の腰掛式トイレ用使い捨て便座カバーを腰掛式トイレに使用した一実施例の斜視図
【考案を実施するための形態】
【００１４】  以下本考案の実施をするための最良の形態を具体的に示す。
【００１５】  図１は本考案の腰掛式トイレ用使い捨て便座カバーの一例の正面図を示し、図２は本考案の腰掛式トイレ用使い捨て便座カバーの一例を示し、図３は本考案の腰掛式トイレ用使い捨て便座カバーの一例の斜め正面図を示し、切れ目による袋状構造も示し、図４は本考案の腰掛式トイレ用使い捨て便座カバーを腰掛式トイレに使用した一実施例の斜視図を示す。
【００１６】  本考案を実施するための最良の形態としては、腰掛式トイレに使用時に、本考案腰掛式トイレ用使い捨て便座カバー１を切れ目２を介して、腰掛式トイレ３の便座に袋状に取り付けて着用して、腰掛式トイレに使用し、複数回、数十回使用後、腰掛式トイレ用使い捨て便座カバー１を切れ目２を介して、腰掛式トイレ３の便座から取り外して、通常のごみと一緒に捨てることにより使用後の後処理問題は全く発生しない。
【実施例】
【００１６】  本考案の腰掛式トイレ用使い捨て便座カバーの構成材については、殺菌抗菌加工した不織布、タオル、布、紙等を例示しているが、殺菌抗菌加工が施されていれば、ポリプロピレン、ポリエチレン、ポリエステル、木綿等を用いてもよく、本考案の機能を有するものであれば特に限定されるものではない。【００１７】  また、切れ目の縁取りに使用する伸縮材についても、ゴム、ナイロン、ポリウレタン等が例示されるが、本考案の機能を有する素材であれば特に限定されるものではない。
【産業上の利用可能性】
【００１８】  本考案の腰掛式トイレ用使い捨て便座カバーは、折畳み式も可能な構造であるので、携帯も容易であり特定場所に限定されことなく、あらゆる場所での応用も可能である。
【符号の説明】
【００１９】    １  腰掛式トイレ用使い捨て便座カバー
２  腰掛式トイレの便座への着脱用切れ目
３  腰掛式トイレ
【図１】
0003196170.tif 000003
【図２】
0003196170.tif 000004
【図３】
0003196170.tif 000005
【図４】
0003196170.tif 000006
(57)【要約】      （修正有）【課題】ガラ・ルファ等の魚を用いたフィッシュテラピーを顔部で体験する場合に、体験者の負担を軽減する事が出来る、顔部専用水槽ユニットを提供する。【解決手段】ガラ・ルファ等の魚を用いたフィッシュテラピーに用いる顔部体験が可能な水槽において、本体槽２上部に頭部保持板９を備え、顔部を湯水につける時、おでこ又は前頭部を支える事で、フィッシュテラピー中の体験者の首への負担を軽減する。【選択図】図２
0003196856.tif 000002
【実用新案登録請求の範囲】
【請求項１】
ガラ・ルファ等の魚を用いたフィッシュテラピー等に用いる顔部体験が可能な水槽において、本体槽上部に、頭を支える為の保持板を備える事を特徴とする、保持板付顔専用水槽。
【考案の詳細な説明】
【技術分野】
【０００１】    本考案はガラ・ルファ等の魚を用いたフィッシュテラピー等に用いる顔部体験が可能な水槽に関する。
【背景技術】
【０００２】    従来より、特許文献１に示すように、足湯等を用いて、ガラ・ルファ等の魚を用いたフィッシュテラピーが行われている。この魚は、温泉等の特殊な環境でも生息可能で、湯水に浸かる人間の皮膚の痛んでいる角質を見つけて、餌として舐めるように食べる習性を有している。フィッシュテラピー等では、この習性を用いて、皮膚病であるアトピーなどの治療にも効果があるとされている。また最近では特許文献１のような足湯だけでなく、顔部体験の要望も高まっている。
【先行技術文献】
【特許文献】
【０００３】
【特許文献１】登録実用新案第３１２４８５１号公報
【考案の概要】
【考案が解決しようとする課題】
【０００４】  ガラ・ルファ等の魚に角質を食べてもらう場合、ガラ・ルファ等がいる湯水に食べてもらいたい箇所をつける必要があるが、顔を入れる場合、顔を下向きにして湯水につける為、頭部を支える場所がないと、体験中首で頭部を支えねばならず、体験者に負担が掛る。【０００５】  本考案は、このような事情に艦みてなされたもので、フィッシュテラピー中の体験者の負担を抑える事が出来る水槽を提供することにある。
【課題を解決するための手段】
【０００６】  請求項１記載の水槽は、本体槽と、本体槽上部に設けられた頭部保持板を備える事を特徴としている。
【考案の効果】
【０００７】  請求項１の考案によれば、湯水が満たされガラ・ルファ等が放たれている本体槽に、本体槽上部に設けられた頭部保持板を備える事で、顔部を湯水につける時、おでこ又は前頭部で支える事が出来、フィッシュテラピー中の体験者の首への負担を軽減する事が出来る。
【図面の簡単な説明】
【０００８】
【図１】本考案の実施の形態をしめす説明図である。
【図２】保持板付顔専用水槽の実施方法を示す説明図である。
【考案を実施するための形態】
【０００９】  以下、本考案の形態について図面を参照しながら具体的に説明する。本考案の形態における水槽ユニットは、ガラ・ルファ等の魚を用いたフィッシュテラピー等に用いる顔部体験が可能な水槽である。図１は本考案に係る保持板付顔専用水槽の一例を示す構成図である。図２は、同保持板付顔専用水槽の詳細を示す説明図である。図１及び図２において、保持板付顔専用水槽１には、人の顔を入れる事が可能な大きさの本体槽２と、本体槽２上部に設けられた頭部保持板９と、水質浄化設備３等から構成されている。
【００１０】  本体槽２には淡水の湯水が満たされ、肌の角質を食べる魚ガラ・ルファ３が放たれている。本体槽２下部にはろ過装置５、殺菌装置６保温装置７エアーポンプ８等の水質浄化設備３があり常に水を循環浄化している。
【００１１】  体験者１１は保持板付顔専用水槽１の横のイス１０に腰掛け、顔を本体槽２の湯水に入れる。体験者１１はシュノーケル等を使い呼吸をする。この時ガラ・ルファ３は皮膚の角質を食べる為、顔をついばむ。
体験者１１は顔を湯水に入れているが、頭部保持板９におでこ又は前頭部を乗せる事で、首だけで支える場合より楽な体制で体験が出来る。また水質浄化設備３のおかげで常に水質が浄化され衛生的に体験が出来る。
【産業上の利用可能性】
【００１２】  以上の様に、ガラ・ルファ等の魚を用いたフィッシュテラピー等に用いる顔部体験が可能な水槽で、本体槽上部に頭部保持板を備える事で、フィッシュテラピー中の体験者の負担を軽減する事が出来る水槽を提供する事が出来る。
【符号の説明】
【００１３】    １・・・・・保持板付顔専用水槽
２・・・・・本体槽
３・・・・・ガラ・ルファ
４・・・・・水質浄化設備
５・・・・・ろ過装置
６・・・・・紫外線殺菌装置
７・・・・・保温装置
８・・・・・エアーポンプ
９・・・・・頭部保持板
１０・・・・イス
１１・・・・体験者
【図１】
0003196856.tif 000003
【図２】
0003196856.tif 000004
(57)【要約】      （修正有）【課題】物を入れるスペースに、大切なものを安心して保管できる機能を付属させる仏壇を提供する。【解決手段】仏壇本体１において、仏壇の引き出しに鍵をつけたもの２、及び／又は、開き戸のついた物を入れるスペースに鍵をつけたもの３である。【選択図】図１
0003196851.tif 000002
【実用新案登録請求の範囲】
【請求項１】
仏壇の物を入れる場所に鍵をつけることを特徴とする鍵つき仏壇。
【考案の詳細な説明】
【技術分野】
【０００１】  本考案は、仏壇の物入れに鍵をつけて、大切なものも保管できるようにした、仏壇に関するものである。
【背景技術】
【０００２】  従来、仏壇の物入れには鍵がついていなくて、子どもの通信簿とか、賞状、貯金通帳など大切なものを保管するには不安があった。
【考案の概要】
【考案が解決しようとする課題】
【０００３】  仏壇の物を入れるスペースに、子どもの通信簿や、賞状、貯金通帳等大切なものを安心して保管できる機能を付属させる。
【課題を解決するための手段】
【０００４】  本考案は、仏壇の物入れの場所に鍵を付けて、大切なものを安心して保管できるようにするものである。
【考案の効果】
【０００５】  従来の仏壇の物入れに鍵をつけることで、通信簿や賞状、貯金通帳などを安心して保管できる。また、耐火金庫、防犯サービスと組み合わせると、安全性がアップする。
【図面の簡単な説明】
【０００６】
【図１】仏壇の物入れに鍵を付属させたところ
【考案を実施するための形態】
【０００７】  仏壇の引き出しとか、開き戸のついた物を入れるスペースに鍵を付ける。
【実施例】
【０００８】  以下添付図に従って、一実施例を説明する。１は仏壇本体であり、２は仏壇の引き出しに鍵をつけたもの、３は、開き戸のついた物を入れるスペースに鍵をつけたものである。
【符号の説明】
【０００９】  １  仏壇本体
２  仏壇の引き出しに鍵をつけたもの
３  仏壇の開き戸のついた物を入れるスペースに鍵をつけたもの
【図１】
0003196851.tif 000003